(57)【特許請求の範囲】
【請求項１】
中央マット部を挟んで、当該中央マット部の一方の側に頭部用マット部、他方の側に脚部用マット部が配備され、当該頭部用マット部、中央マット部及び脚部用マット部の各上側表面によって水平面が形成されて長手方向に延びるマットが構成され、
前記頭部用マット部及び脚部用マット部の下側に上側が開口している頭部洗浄槽と脚部洗浄槽とがそれぞれ配備され、
前記頭部用マット部及び脚部用マット部はそれぞれ長手方向に直交する左右方向にスライド可能であって、前記頭部用マット部及び脚部用マット部を左右方向にスライドさせることにより、前記頭部洗浄槽及び脚部洗浄槽の前記開口を開放できる美容用多機能ベッドであって、
前記頭部洗浄槽は、前記中央マット部から離れている側に位置する頭部洗浄槽前端壁の外周壁が、頭部洗浄槽前端壁の頂端側から下端側に向かって、前記中央マット部の側に向けて斜めに傾斜し、
前記脚部洗浄槽は、前記中央マット部から離れている側に位置する脚部洗浄槽後端壁の外周壁が、脚部洗浄槽後端壁の頂端側から下端側に向かって、前記中央マット部の側に向けて斜めに傾斜し
ていることを特徴とする美容用多機能ベッド。
【請求項２】
前記頭部用マット部、中央マット部及び脚部用マット部の各上側表面によって水平面が形成されている状態で、前記頭部用マット部、中央マット部及び脚部用マット部を同期して上下動させることが可能な
請求項１記載の美容用多機能ベッド。
【発明の詳細な説明】
【技術分野】
【０００１】
この発明は美容用ベッドに関し、特に、当該ベッドの上に横たわる被施術者に対して、美容師、理容師、エステティシャン、マッサージ師などの施術者が、シャンプーや、美顔施術、フェイシャルケア、ネイルケア、エステティック、マッサージなどの美容施術を行うのに適した美容用多機能ベッドに関する。
【背景技術】
【０００２】
従来、美容で用いるマッサージ等を行うベッドは、専ら、身体のマッサージ等に用いることのみを目的としている単純な構造のものであった（例えば、特許文献１）。
【０００３】
近年、社会構造の急激な変化、情報化社会の飛躍的な発展を原因として、精神的や身体的に強度のストレスを受け、全身的に疲労が蓄積することを考慮し、頭部から足先まで全身的にマッサージ等を施し、蓄積した疲労を癒すことが求められている。また、そのような施術を求める被施術者も増加する傾向にある。
【０００４】
従来、美容で用いるマッサージ等を行うベッドは、専らマッサージを行うことのみを目的とした構造であって、頭部の洗浄や脚部の温浴を行うことを考慮に入れていない構造のものが多かった。
【０００５】
このようなベッドを用いて全身の美容施術を行なう場合、マッサージ等の施術中や、施術前、あるいは施術後に頭部や脚部の洗浄や温浴を行うために、それらの部位の洗浄や温浴が可能な場所に被施術者に移動してもらう必要があった。これは、全身の疲労を癒すことを希望している被施術者に歩行や重力の影響を受け易い姿勢への変更を促すことになり、被施術者が全身的な癒しを享受する時の大きな障害となっていた。
【０００６】
このように、従来の美容で用いるマッサージ等を行うベッドでは、連続的なマッサージ等を行うことが難しいので、被施術者が全身的な癒しを享受するには大きな障害となっていた。
【０００７】
また、美容で用いるマッサージ等を行う従来のベッドは、エステティックやマッサージ等を行う施術者が施術を行い易い高さに調節する機能を備えていないのが一般的であった。全身的な癒しを求めている被施術者が増加するにつれて、施術者の身体的負担が大きくなるが、ベッドと高さが合わない施術者にとって、施術者自身の身体への負担が多くなり、手首や腰部等に異常を訴える施術者が増加する傾向にある。
【特許文献１】特開２００６−３４１０２７号公報
【発明の開示】
【発明が解決しようとする課題】
【０００８】
この発明は、前述した従来の問題点にかんがみて、一台のベッドで頭部の洗浄や、脚部の温浴、身体全身のマッサージや、エステティックなどを、被施術者に対して移動や無理な姿勢への変更などを要求せずに連続的に、なおかつ、エステティックやマッサージ等を行う施術者がその身体に過度の負担を受けることなく行うことを可能ならしめる美容用多機能ベッドを提供することを目的にしている。
【課題を解決するための手段】
【０００９】
前記課題を解決するため、本発明は以下の提案を行うものである。
【００１０】
請求項１記載の発明は、
中央マット部を挟んで、当該中央マット部の一方の側に頭部用マット部、他方の側に脚部用マット部が配備され、当該頭部用マット部、中央マット部及び脚部用マット部の各上側表面によって水平面が形成されて長手方向に延びるマットが構成され、
前記頭部用マット部及び脚部用マット部の下側に上側が開口している頭部洗浄槽と脚部洗浄槽とがそれぞれ配備され、
前記頭部用マット部及び脚部用マット部はそれぞれ長手方向に直交する左右方向にスライド可能であって、前記頭部用マット部及び脚部用マット部を左右方向にスライドさせることにより、前記頭部洗浄槽及び脚部洗浄槽の前記開口を開放できる美容用多機能ベッドであって、
前記頭部洗浄槽は、前記中央マット部から離れている側に位置する頭部洗浄槽前端壁の外周壁が、頭部洗浄槽前端壁の頂端側から下端側に向かって、前記中央マット部の側に向けて斜めに傾斜し、
前記脚部洗浄槽は、前記中央マット部から離れている側に位置する脚部洗浄槽後端壁の外周壁が、脚部洗浄槽後端壁の頂端側から下端側に向かって、前記中央マット部の側に向けて斜めに傾斜し
ていることを特徴とする美容用多機能ベッドである。
【００１２】
請求項２記載の発明は、
前記頭部用マット部、中央マット部及び脚部用マット部の各上側表面によって水平面が形成されている状態で、前記頭部用マット部、中央マット部及び脚部用マット部を同期して上下動させることが可能な
請求項１記載の美容用多機能ベッドである。
【発明の効果】
【００１３】
この発明によれば、一台のベッドで頭部の洗浄や、脚部の温浴、身体全身のマッサージや、エステティックなどを、被施術者に対して移動や無理な姿勢への変更などを要求せずに連続的に、なおかつ、エステティックやマッサージ等を行う施術者がその身体に過度の負担を受けることなく行うことを可能ならしめる美容用多機能ベッドを提供することができる。
【発明を実施するための最良の形態】
【００１４】
以下、添付図面を参照して、本発明の好ましい実施形態を説明する。
【００１５】
図１（ａ）は、頭部用マット部２１、中央マット部２２及び脚部用マット部２３の各上側表面によって水平面が形成され長手方向に延びるマット２０が構成されている状態の本発明の美容用多機能ベッド１を説明する斜視図である。
【００１６】
図１（ｂ）は、図１（ａ）図示の状態から頭部用マット部２１及び脚部用マット部２３が左右方向にスライドされて、頭部洗浄槽４１及び脚部洗浄槽４２の上側の開口が開放されている状態の本発明の美容用多機能ベッド１を説明する斜視図である。
【００１７】
本発明の美容用多機能ベッド１は、図１（ａ）図示のように、中央マット部２２を挟んで、中央マット部２２の一方の側に頭部用マット部２１、中央マット部２２の他方の側に脚部用マット部２３が配備され、頭部用マット部２１、中央マット部２２及び脚部用マット部２３の各上側表面によって水平面が形成されて長手方向に延びるマット２０が構成されるものである。
【００１８】
頭部用マット部２１及び脚部用マット部２３の下側には、図１（ｂ）、図２図示のように、上側が開口している頭部洗浄槽４１と脚部洗浄槽４２がそれぞれ配備されている。
【００１９】
頭部用マット部２１及び脚部用マット部２３はそれぞれ長手方向に直交する左右方向に、矢印４ａ、４ｂ、５ａ、５ｂで示すように、スライド可能であって、頭部用マット部２１及び脚部用マット部２３を左右方向にスライドさせることにより、頭部洗浄槽４１及び脚部洗浄槽４２の上側の開口を図１（ｂ）、図２図示のように開放できる。
【００２０】
頭部洗浄槽４１は、中央マット部２２から離れている側に位置する頭部洗浄槽４１の前端壁の外周壁６が、図１（ａ）図示のように、頭部洗浄槽４１前端壁の頂端側から下端側に向かって、中央マット部２２の側に向けて斜めに傾斜している。
【００２１】
また、脚部洗浄槽４２も、中央マット部２２から離れている側に位置する脚部洗浄槽４２の後端壁の外周壁７が、頭部洗浄槽４１の前端壁の外周壁６と同じように、脚部洗浄槽４２の後端壁の頂端側から下端側に向かって、中央マット部２２の側に向けて斜めに傾斜している。
【００２２】
頭部用マット部２１、中央マット部２２及び脚部用マット部２３の各上側表面によって図１（ａ）図示のように水平面が形成されている状態で、頭部用マット部２１、中央マット部２２及び脚部用マット部２３を同期して矢印８ａ、８ｂで示すように、上下動させることが可能になっている。
【００２３】
図３は、本発明の美容用多機能ベッド１の分解斜視図である。
【００２４】
床上に置かれる基台７０の上に支持フレーム３０が固定され、支持フレーム３０上に、中央マット部２１を支持する中央支持フレーム１２が、基台７０に対して接近する方向（すなわち図１（ａ）の矢印８ｂ方向に下降する方向）及び、離れる方向（すなわち図１（ａ）の矢印８ａ方向に上昇する方向）に移動可能に取り付けられている。
【００２５】
図４、図５は、中央支持フレーム１２が前記のように矢印８ａ、８ｂ方向に上下動する機構の一例を説明するものである。中央支持フレーム１２の下側に固定されている支持片３２と、基台７０上に立設されていて支持フレーム３０を構成する支持片３３とは、互いに平行なリンク片３４、３５と、リンク片３４、３５の両端側に挿通されているピン３６によって構成されるリンク機構を介して連結されている。そして、図５（ｂ）図示の状態で、上側に位置することになるリンク片３４に対して、基端側が基台７０に対して旋回可能に取り付けられている流体圧シリンダ３１のロッドの先端側が旋回可能に取り付けられている。
【００２６】
これによって、ロッドが流体圧シリンダ３１の中に没入したときには、図５（ａ）図示のように、中央支持フレーム１２が下降し、ロッドが流体圧シリンダ３１から突出したときには、図５（ｂ）図示のように、中央支持フレーム１２が上昇するようになっている。
【００２７】
流体圧シリンダ３１からのロッドの突出を不図示の制御手段によって制御することにより、中央支持フレーム１２を希望する高さにまで上昇させ、その高さ位置に維持し、あるいは、希望する高さにまで下降させ、その高さ位置に維持することができる。
【００２８】
中央支持フレーム１２の両側には、図３図示のように、座金１０２により、頭部洗浄槽４１が内側に装着される頭部洗浄槽４１の支持フレーム１１に固定的に取り付けられている座金１０１と、脚部洗浄槽４２が内側に装着される脚部洗浄槽４２の支持フレーム１３に固定的に取り付けられている座金１０１とが、それぞれ、固定的に取り付けられる。
【００２９】
これによって、頭部洗浄槽４１の支持フレーム１１、脚部洗浄槽４２の支持フレーム１３は、前述したように、中央支持フレーム１２が上昇、下降するのに同期して、上昇、下降できるようになっている。
【００３０】
これにより、頭部洗浄槽４１の支持フレーム１１に支持される頭部用マット部２１、中央支持フレーム１２に支持される中央マット部２２、脚部洗浄槽４２の支持フレーム１３に支持される脚部用マット部２３の各上側表面によって図１（ａ）図示のように水平面が形成されている状態で、頭部用マット部２１、中央マット部２２及び脚部用マット部２３を同期して矢印８ａ、８ｂで示すように、上下動させるものである。
【００３１】
以上に説明した構造、機構を採用することによって、本発明の美容用多機能ベッド１では、長手方向に延びるマット２０を構成する頭部用マット部２１、中央マット部２２、脚部用マット部２３における頭部用マット部２１の下側に頭部洗浄槽４１、脚部用マット部２３の下側に脚部洗浄槽４２が配備され、頭部洗浄槽４１、脚部洗浄槽４２にそれぞれ頭部洗浄用、脚部温浴用に給湯機構、給水機構、排水機構が備えられているにもかかわらず、頭部用マット部２１、中央マット部２２及び脚部用マット部２３の各上側表面によって図１（ａ）図示のように水平面が形成されている状態で、頭部用マット部２１、中央マット部２２及び脚部用マット部２３を同期して矢印８ａ、８ｂで示すように、上下動させることができる。
【００３２】
このように、本発明の美容用多機能ベッド１では、頭部用マット部２１、中央マット部２２及び脚部用マット部２３の各上側表面によって図１（ａ）図示のように水平面が形成されている状態で、頭部用マット部２１、中央マット部２２及び脚部用マット部２３を同期して矢印８ａ、８ｂで示すように、上下動させることが可能になっている。
【００３３】
こうして、頭部用マット部２１、中央マット部２２及び脚部用マット部２３からなるマット２０が、図１（ａ）図示のように水平面を形成している状態で、全体を矢印８ａ方向、矢印８ｂ方向に上昇、下降させ、美容、エステティック、マッサージなどの施術を受ける被施術者が無理なくマット２０の上に乗ることができる高さ位置にマット２０を上昇あるいは、下降させ、更に、施術者が、マット２０の上に仰向けになっている、あるいはうつ伏せになっている被施術者に対して、美容、エステティック、マッサージなどの施術を行うにあたって、施術者の体格に合わせて、施術者が最も楽な姿勢で施術を行なうことのできる高さ位置にマット２０を上昇あるいは、下降させることができる。
【００３４】
頭部用マット部２１及び脚部用マット部２３はそれぞれ長手方向に直交する左右方向に、矢印４ａ、４ｂ、５ａ、５ｂで示すように、スライド可能であって、頭部用マット部２１及び脚部用マット部２３を左右方向にスライドさせることにより、頭部洗浄槽４１及び脚部洗浄槽４２の上側の開口を図１（ｂ）、図２図示のように開放できる。
【００３５】
内側に頭部洗浄槽４１が装着される頭部洗浄槽４１の支持フレーム１１における中央マット部２２から離れている側、すなわち前端壁の外周壁の上端部には、左右方向に延びる案内レール１５が配備されている（図２）。図示していないが、同様の案内レールが、中央マット部２１に近い側に位置する頭部洗浄槽４１の支持フレーム１１における後端壁の外周壁の上端部にも配備されている。
【００３６】
一方、中央マット部２２から離れている側における頭部用マット部２１の下側には頭部用マット支持片２４の基端が固定されており、頭部用マット支持片２４の先端に回動自在に取り付けられている転動ローラ（不図示）が、頭部洗浄槽４１の支持フレーム１１における中央マット部２２から離れている側、すなわち前端壁の外周壁の上端部に配備されている案内レール１５内に転動自在に装着されている。
【００３７】
図示していないが、中央マット部２２に近接している側における頭部用マット部２１の下側にも頭部用マット支持片２４の基端が固定され、頭部用マット支持片２４の先端に回動自在に取り付けられている転動ローラが、中央マット部２１に近い側に位置する頭部洗浄槽４１の支持フレーム１１における後端壁の外周壁の上端部に配備されている案内レール内に転動自在に装着されている。
【００３８】
頭部用マット部２１の両側（中央マット部２２から離れている側及び、中央マット部２２に近接している側）の下側にそれぞれの基端が固定されている頭部用マット支持片２４、２４の先端に回動自在に取り付けられている転動ローラ（不図示）が、内側に頭部洗浄槽４１が装着される頭部洗浄槽４１の支持フレーム１１の前端壁及び後端壁の外周壁の上端部にそれぞれ配備されて左右に延びる案内レール１５内にそれぞれ転動自在に装着されていることにより、頭部用マット部２１は、図１（ａ）に示すように、頭部用マット部２１、中央マット部２２及び脚部用マット部２３の各上側表面によって水平面が形成され、長手方向に長いマット２０が構成されている状態で、矢印４ａあるいは矢印４ｂで示す方向に、水平状態を保ったままスライドすることができる。
【００３９】
そして、矢印４ａ方向にスライドし、案内レール１５の図２中、最も右側に移動した時点で、内側に頭部洗浄槽４１が装着される頭部洗浄槽４１の支持フレーム１１の前端壁及び後端壁の外周壁の上端部にそれぞれ配備されて左右に延びる案内レール１５内にそれぞれ転動自在に装着されている頭部用マット支持片２４、２４の先端の転動ローラ（不図示）を案内レール１５内で転動させることにより、頭部用マット部２１を回転させ、図１（ｂ）、図２図示の状態にし、頭部洗浄槽４１の上側の開口を開放する。
【００４０】
案内レール１５の図３中、左端側には、下側方向に向かって窪んでいる凹部１８が形成されており、案内レール１５内を先端の転動ローラ（不図示）が転動してきた頭部用マット支持片２４、２４は、ここで下側方向に向けて若干移動する。そして、頭部用マット支持片２４、２４の先端の転動ローラ（不図示）がこの凹部１８に入り込み、頭部用マット部２１は、矢印４ａ方向あるいは矢印４ｂ方向の力が加えられなければ、簡単には矢印４ａ方向あるいは矢印４ｂ方向にスライドせず、頭部用マット部２１は、安定した位置を保つことができる。
【００４１】
また、このように、頭部用マット支持片２４、２４の先端の転動ローラ（不図示）がこの凹部１８に入り込んだ時点で、頭部用マット部２１の下側面は、頭部洗浄槽４１の支持フレーム１１の上側面に当接し、安定した位置を保ち、この状態から頭部用マット部２１に対して矢印４ａ方向あるいは矢印４ｂ方向の力が加えられて、頭部用マット支持片２４、２４の先端の転動ローラ（不図示）が凹部１８から転がり出た時点で、頭部用マット部２１の下側面と、頭部洗浄槽４１の支持フレーム１１の上側面との間に若干の隙間が形成され、頭部用マット部２１に対して矢印４ａ方向あるいは矢印４ｂ方向の少しの力を加えるのみで、頭部用マット部２１を矢印４ａ方向あるいは矢印４ｂ方向に簡単にスライドさせることができる。
【００４２】
すなわち、頭部用マット支持片２４、２４の大きさ（長さ）と、凹部１８の大きさは、頭部用マット支持片２４、２４の先端の転動ローラ（不図示）が凹部１８に入り込んだ時点で、頭部用マット部２１の下側面が、頭部洗浄槽４１の支持フレーム１１の上側面に当接し、頭部用マット支持片２４、２４の先端の転動ローラ（不図示）が凹部１８から転がり出た時点で、頭部用マット部２１の下側面と、頭部洗浄槽４１の支持フレーム１１の上側面との間に若干の隙間が形成される関係になっている。
【００４３】
施術者が、頭部用マット部２１を矢印４ａ方向あるいは矢印４ｂ方向に移動させるにあたっては、図１（ａ）に図示されているように、頭部用マット部２１の側壁に取り付けられている取っ手を持ち、頭部用マット部２１を矢印４ａ方向あるいは矢印４ｂ方向に移動させる。
【００４４】
頭部用マット部２１の側壁に取り付けられている取っ手（図１（ａ））は、頭部用マット部２１の両側に取り付けておくことにより、施術者が、その利き腕で、移動させやすい方向にスライドさせることができる。
【００４５】
脚部用マット部２３を矢印５ａ方向あるいは矢印５ｂ方向に移動させる機構も、以上に説明した頭部用マット部２１を矢印４ａ方向あるいは矢印４ｂ方向に移動させる機構と同様であるので、説明を省略する。
【００４６】
図１（ｂ）は、図１（ａ）図示の状態から、頭部用マット部２１を矢印４ａ方向にスライドさせて、頭部洗浄槽４１の上側の開口を開放し、また、脚部用マット部２３を矢印５ａ方向にスライドさせて、脚部洗浄槽４１の上側の開口を開放した状態を説明するものである。
【００４７】
図２は、図１（ａ）図示の状態から、頭部用マット部２１を矢印４ａ方向にスライドさせて、頭部洗浄槽４１の上側の開口を開放し、また、脚部用マット部２３を矢印５ｂ方向にスライドさせて、脚部洗浄槽４１の上側の開口を開放した状態を説明するものである。
【００４８】
前述したように、頭部用マット部２１、脚部用マット部２３は、図１（ａ）に示すように、頭部用マット部２１、中央マット部２２及び脚部用マット部２３の各上側表面によって水平面が形成され、長手方向に延びるマット２０が構成されている状態で、矢印４ａあるいは矢印４ｂ、矢印５ａあるいは矢印５ｂで示す方向に、水平状態を保ったままスライドすることができるので、図１（ａ）図示の状態の美容用多機能ベッド１の上に被施術者が仰向けに横たわっている状態で、被施術者に姿勢を変更してもらうことなく、施術者が、利き腕で頭部用マット部２１、脚部用マット部２３の側壁に取り付けられている取っ手を持って、頭部用マット部２１、脚部用マット部２３の水平状態を維持したまま矢印４ａあるいは矢印４ｂ、矢印５ａあるいは矢印５ｂで示す方向に、頭部用マット部２１、脚部用マット部２３を移動させるだけで、頭部洗浄槽４１の上側の開口、脚部洗浄槽４１の上側の開口を開放し、頭部の洗浄や、脚部の温浴といった施術を行うことができる。
【００４９】
この際、施術者は、図７（ａ）に示すように、椅子に座って、施術者の身体に過剰な負荷を受けることなく、被施術者の頭部洗浄や、脚部温浴を行うことができる。
【００５０】
これは、前述したように、中央マット部２２から離れている側に位置する頭部洗浄槽４１の前端壁の外周壁６が、図１（ａ）図示のように、頭部洗浄槽４１前端壁の頂端側から下端側に向かって、中央マット部２２の側に向けて斜めに傾斜し、また、中央マット部２２から離れている側に位置する脚部洗浄槽４２の後端壁の外周壁７が、頭部洗浄槽４１の前端壁の外周壁６と同じように、脚部洗浄槽４２の後端壁の頂端側から下端側に向かって、中央マット部２２の側に向けて斜めに傾斜していることによって可能になっている。
【００５１】
すなわち、図７（ｂ）図示のように、中央マット部２２から離れている側に位置する頭部洗浄槽４１の前端壁の外周壁が、頭部洗浄槽４１前端壁の頂端側から下端側に向かって垂直になっていたり、中央マット部２２から離れている側に位置する脚部洗浄槽４２の後端壁の外周壁が、脚部洗浄槽４２の後端壁の頂端側から下端側に向かって垂直になっている場合、施術者は無理な姿勢で、被施術者の頭部洗浄や、脚部温浴を行わねばならない。
【００５２】
本発明の美容用多機能ベッド１においては、前述した構造になっているため、美容用多機能ベッド１の前端側の下側に符号２（図１（ａ）、図７（ａ））で示す空間部が形成され、同じく、美容用多機能ベッド１の後端側の下側に符号３（図１（ａ））で示す空間部が形成されている。そこで、図７（ａ）に示すように、施術者は椅子に座って、楽な姿勢で、被施術者の頭部洗浄や、脚部温浴を行うことができる。
【００５３】
更に、前述したように、頭部用マット部２１、中央マット部２２及び脚部用マット部２３の各上側表面によって図１（ａ）図示のように水平面が形成されている状態で、頭部用マット部２１、中央マット部２２及び脚部用マット部２３を同期して矢印８ａ、８ｂで示すように、上下動させることができるので、施術者は図７（ａ）に示すように椅子に座って、被施術者の頭部洗浄や、脚部温浴を行うに際して、最も楽な姿勢をとりえるように、マット２０の上下位置を調整することができる。
【００５４】
図６（ａ）、（ｂ）は、頭部洗浄槽４１に配備されている頭部支持機構５０を説明するものである。頭部洗浄槽４１の内壁に支持板５３が固定されており、ここに、互いに平行に延び、長さが異なる長ロッド５７と、短ロッド５８とが頭部洗浄槽４１内に延びるように突設されている。
【００５５】
頭部支持機構５０は被施術者の首部を支持する首支持部５５と、頭部支持部５６とを備えており、首支持部５５は被施術者の首部を支持するように凹湾している腕片からなり、頭部支持部５６は被施術者の後頭部を支持するように上面が平坦になっている。首支持部５５、頭部支持部５６とも被施術者に優しい弾性部材で形成しておくことが望ましい。首支持部５５、頭部支持部５６は支持ロッド５４の先端側に固定されており、支持ロッド５４の基端側は、互いに平行に延びる筒状部６２、６２の間で、筒状部６２、６２によって支持されている。
【００５６】
筒状部６２、６２は、前述した長ロッド５７と短ロッド５８とにそれぞれ装着されるようになっている。
【００５７】
図６（ａ）図示の状態では、図中、左側の筒状部６２のみが長ロッド５７に装着されているが、この状態から、図中、右側方向に前進させると、図中、右側の筒状部６２は、短ロッド５８に装着されるようになる。このように、図６（ａ）図示の状態で支持ロッド５４を図中、右側方向、あるいは左側方向に移動させ、被施術者の首部、後頭部が、適切に首支持部５５及び頭部支持部５６上にそれぞれ支持される位置に調節する。適切な位置になったならば、調節ボルト６１で締め付けて、支持ロッド５４の位置を固定する。
【００５８】
なお、首支持部５５、頭部支持部５６の高さ位置を調節する必要がある場合には、支持ロッド５４が装入されている枠体６３に取り付けられている調節レバー５９を操作して、支持ロッド５４を枠体６３から上側に突出する方向、あるいはその逆方向に移動させ、高さを調節することができる。
【００５９】
図１（ａ）図示のように、頭部用マット部２１によって頭部洗浄槽４１の上側の開口を塞ぐ場合には、図６（ａ）図示の状態では、立設状態にある支持ロッド５４が邪魔になるので、図６（ｂ）図示の状態にする。
【００６０】
これは、支持ロッド５４を図６（ａ）図示の状態にまで移動させることによって、右側の筒状部６２を短ロッド５８から抜き取り、左側の筒状部６２のみが長ロッド５７に装着されているようにし、ここで、調節ボルト６１の締め付けを緩めて、支持ロッド５４を図６（ａ）図示の状態から、図６（ｂ）図示の状態に、長ロッド５７の回りで回動させるものである。
【００６１】
これによって、頭部用マット部２１を矢印４ａあるいは矢印４ｂ方向にスライドさせて頭部洗浄槽４１の上側の開口を塞ぐようにしても、図６（ａ）図示のように立設状態にある支持ロッド５４が邪魔になることはない。
【００６２】
次に、本発明の美容用多機能ベッド１を用いて、被施術者に対してエステティックやマッサージ等の全身的な施術を行なう場合について一例を説明する。
【００６３】
頭部用マット部２１、中央マット部２２及び脚部用マット部２３からなるマット２０が、図１（ａ）図示のように水平面を形成している状態で、全体を矢印８ａ方向、矢印８ｂ方向に上昇、下降させ、美容、エステティック、マッサージなどの施術を受ける被施術者が無理なくマット２０の上に乗ることができる高さ位置にマット２０を上昇あるいは、下降させ、被施術者にマット２０の上に仰向けに載ってもらう。
【００６４】
次に、施術者が、マット２０の上に仰向けになっている、あるいはうつ伏せになっている被施術者に対して、美容、エステティック、マッサージなどの施術を行うにあたって、施術者の体格に合わせて、施術者が最も楽な姿勢で施術を行なうことのできる高さ位置にマット２０を上昇あるいは、下降させる。
【００６５】
こうして、施術者は無理な姿勢をとることなしに、美容、エステティック、マッサージなどの施術を被施術者に対して行うことができる。
【００６６】
なお、被施術者がマット２０の上でうつ伏せになったときに備えて、頭部用マット部２１には透孔２５が形成されている。
【００６７】
頭部の洗浄や、脚部の温浴を行なう場合には、図１（ａ）図示の状態の美容用多機能ベッド１の上に被施術者が仰向けに横たわっている状態で、被施術者に姿勢を変更してもらうことなく、施術者が、利き腕で頭部用マット部２１、脚部用マット部２３の側壁に取り付けられている取っ手を持って、頭部用マット部２１、脚部用マット部２３の水平状態を維持したまま矢印４ａあるいは矢印４ｂ、矢印５ａあるいは矢印５ｂで示す方向に、頭部用マット部２１、脚部用マット部２３を移動させ、頭部洗浄槽４１の上側の開口、脚部洗浄槽４１の上側の開口を開放し、頭部洗浄槽４１を利用して頭部の洗浄、脚部洗浄槽４１を利用して脚部の温浴を行う。
【００６８】
この際、図７（ａ）に示すように、施術者は椅子に座って、しかも、最も適切な高さにマット２０の位置を調節して、楽な姿勢で、被施術者の頭部洗浄や、脚部温浴を行うことができる。
【００６９】
以上、添付図面を参照して本発明の好ましい実施形態を説明したが、本発明はかかる実施形態に限定されるものではなく、特許請求の範囲の記載から把握される技術的範囲において種々の形態に変更可能である。
【図面の簡単な説明】
【００７０】
【図１】（ａ）は、頭部用マット部、中央マット部及び脚部用マット部の各上側表面によって水平面が形成され、長手方向に延びるマットが構成されている状態の本発明の美容用多機能ベッドを説明する斜視図、（ｂ）は、図１（ａ）図示の状態から頭部用マット部及び脚部用マット部が左右方向にスライドされて、頭部洗浄槽及び脚部洗浄槽の上側の開口が開放されている状態の本発明の美容用多機能ベッドを説明する斜視図。
【図２】図１（ａ）図示の状態から頭部用マット部及び脚部用マット部が左右方向にスライドされて、頭部洗浄槽及び脚部洗浄槽の上側の開口が開放されている状態の本発明の美容用多機能ベッドの他の例を説明する一部を省略した斜視図。
【図３】本発明の美容用多機能ベッドの構造を説明する分解斜視図。
【図４】中央支持フレームの上下動する機構の一例の一部を説明する分解斜視図。
【図５】（ａ）は、中央支持フレームが下降している状態を説明する一部を省略した側面図、（ｂ）は、中央支持フレームが上昇している状態を説明する一部を省略した側面図。
【図６】（ａ）は、頭部洗浄槽に配備されている被施術者の首及び後頭部支持機構を説明する図であって、使用状態を説明する一部を省略した斜視図、（ｂ）は、頭部洗浄槽の上側開口が頭部用マット部によって閉鎖される場合における被施術者の首及び後頭部支持機構を説明する一部を省略した斜視図。
【図７】（ａ）は、本発明の美容用多機能ベッドを利用して施術者が被施術者の頭部洗浄あるいは脚部温浴施術を行なう場合の状態を説明する一部を省略した側面図、（ｂ）は従来の美容用ベッドを利用して施術者が被施術者の頭部洗浄を行なう場合の状態を説明する一部を省略した側面図。
【符号の説明】
【００７１】
１  美容用多機能ベッド
２０  マット
２１  頭部用マット部
２２  中央マット部
２３  脚部用マット部
４１  頭部洗浄槽
４２  脚部洗浄槽
【図１】
0005220472.tif 000002
【図２】
0005220472.tif 000003
【図３】
0005220472.tif 000004
【図４】
0005220472.tif 000005
【図５】
0005220472.tif 000006
【図６】
0005220472.tif 000007
【図７】
0005220472.tif 000008